(57)【要約】【課題】躯体角部に装着するシート看板装置の意匠性及び表示シートの支持強度の向上及び構造の簡略化を図ることにある。【解決手段】躯体の角部の二面にわたって装着される本体部２０と本体部２０に装着される開閉部３０とからなる。本体部２０の上縁部には支持軸２５が水平方向に設けられ、支持軸２５に開閉部３０が本体部２０の２つの面に対してそれぞれ個別に開閉可能に軸着されている。開閉部３０に設けられた夫々の表示シート５０の近接部には、両近接部を覆う略Ｌ形の角部カバー板４０が配置されている。角部カバー板４０は、本体部２０を構成する本体枠２１に角部カバー板支持金具２１ｆを介して装着される。角部カバー板支持金具２１ｆは本体枠２１を構成する角部縦枠部に一体である。角部カバー板４０は、開閉部３０側の角部縦枠３４ａを補強するように設けられている。【選択図】  図１
2005003780.tif 000002
【特許請求の範囲】
【請求項１】
建物躯体の角部の二面にわたって装着される本体部と該本体部に装着される開閉部とからなるシート看板装置であって、上記本体部の上縁部には支持軸が水平方向に設けられ、該支持軸に上記開閉部が本体部の２つの面に対してそれぞれ個別に開閉可能に軸着されていると共に、２つの上記開閉部に設けられた夫々の表示シートの近接部には、両近接部を覆う略Ｌ形の角部カバー板が配置されていることを特徴とするシート看板装置。
【請求項２】
上記角部カバー板は、本体部を構成する本体枠に角部カバー板支持金具を介して装着されていることを特徴とする請求項１記載のシート看板装置。
【請求項３】
上記角部カバー板支持金具は、上記本体枠を構成する角部縦枠部と一体であることを特徴とする請求項２記載のシート看板装置。
【請求項４】
上記角部カバー板支持金具と上記角部カバー板は、上記開閉部の角部縦枠を補強するように配置されていることを特徴とする請求項２又は請求項３記載のシート看板装置。
【請求項５】
上記角部カバー板又は／及び角部カバー板支持金具は、表示シートを介して上記開閉部の角部縦枠に近接又は当接して配置されていることを特徴とする請求項４記載のシート看板装置。
【請求項６】
建物躯体の角部の二面にわたって装着される本体部と該本体部に装着される開閉部とからなる内部に照明具を配置させたシート看板装置であって、上記本体部の上縁部には支持軸が水平方向に設けられ、該支持軸に上記開閉部が本体部の２つの面に対してそれぞれ個別に開閉可能に軸着されていると共に、上記開閉部の角部縦枠の表面が白色材又は反射材で構成されていることを特徴とするシート看板装置。
【請求項７】
上記開閉部の角部縦枠は、上記本体枠側に設けられている上記照明具に対して略放射方向に配置されていることを特徴とする請求項４乃至請求項６記載のいずれかのシート看板装置。
【発明の詳細な説明】
【０００１】
【発明が属する技術分野】
本発明は、建物の壁面角部取付用のシート看板装置に関するものである。
【０００２】
【従来の技術】
従来、店舗等の建物躯体角部の二面にわたって装着されるシート看板装置は、例えば、下記の特許文献１の図４、或いは、特許文献２の図４に開示されている。上記従来技術にかかるシート看板装置は、仕切り板、角部カバーが構成要件となっているものの、具体的な枠体の支持機構については明確な説明はされていない。  また、下記の特許文献３記載の表示装置は大型の看板の支持機構についての発明が開示されているが、躯体角部に取り付けられる表示シート装置を全体として小型化する場合の安定的な取付手段については好ましい手段がなく、その技術が求められていた。
【０００３】
【特許文献１】特表平８−５０５２６０号公報
【０００４】
【特許文献２】特表平１０―５０７０３２号公報
【０００５】
【特許文献３】特開２０００−１４８０５２号公報
【０００６】
【発明が解決しようとする課題】
したがって、本発明の課題は、躯体角部に装着するシート看板装置の改良に係り、詳しくは、該シート看板装置の意匠性及び表示シートの支持強度の向上及び構造の簡略化を図ることにある。
【０００７】
【課題を解決するための手段】
上記課題を達成するために、本発明は、以下の手段を講じた。
請求項１記載のシート看板装置は、建物躯体の角部の二面にわたって装着される本体部２０と該本体部２０に装着される開閉部３０とからなるシート看板装置であって、上記本体部２０の上縁部には支持軸２５が水平方向に設けられ、該支持軸２５に上記開閉部３０が本体部２０の２つの面に対してそれぞれ個別に開閉可能に軸着されていると共に、２つの上記開閉部３０に設けられた夫々の表示シート５０の近接部には、両近接部を覆う略Ｌ形の角部カバー板４０が配置されていることを特徴とする。
かかる特徴により、意匠性のよいコーナー部を具備するシート看板装置となる。
【０００８】
請求項２記載のシート看板装置は、請求項１記載のシート看板装置において、上記角部カバー板４０は、本体部２０を構成する本体枠２１に角部カバー板支持金具２１ｆを介して装着されていることを特徴とする。
かかる特徴により、角部カバー板４０の支持は、開閉部３０の支持と独立して設けられていることから、それぞれの面の開閉部３０も独立して本体部２０に支持されることになり、構造的に安定し、支持が簡略化されたシート看板装置が得られる。
【０００９】
請求項３記載のシート看板装置は、請求項２記載のシート看板装置において、上記角部カバー板支持金具２１ｆは、上記本体枠２１を構成する角部縦枠部２１ｄと一体であることを特徴とする。
かかる特徴により、角部カバー板支持金具２１ｆの支持が強固なものとなる。
【００１０】
請求項４記載のシート看板装置は、請求項２又は請求項３記載のシート看板装置において、上記角部カバー板支持金具２１ｆと上記角部カバー板４０は、上記開閉部３０の角部縦枠３４ａを補強するように配置されていることを特徴とする。
請求項５記載のシート看板装置は、請求項４記載のシート看板装置において、上記角部カバー板４０又は／及び角部カバー板支持金具２１ｆは、表示シート５０を介して上記開閉部３０の角部縦枠３４ａに近接又は当接して配置されていることを特徴とする。
上記請求項４記載又は請求項５記載の特徴により、角部カバー板４０又は／及び角部カバー板支持金具２１ｆにより、開閉部３０の角部縦枠３４ａを補強・支持させることで、表示シート５０の支持を安定させる。
【００１１】
請求項６記載のシート看板装置は、建物躯体の角部の二面にわたって装着される本体部と該本体部に装着される開閉部とからなる内部に照明具を配置させたシート看板装置であって、上記本体部の上縁部には支持軸が水平方向に設けられ、該支持軸に上記開閉部が本体部の２つの面に対してそれぞれ個別に開閉可能に軸着されていると共に、上記開閉部の角部縦枠の表面が白色材又は反射材で構成されていることを特徴とする。
かかる特徴により、角部において光が角部縦枠３４ａに反射して表示シート５０のコーナー部が他の部分と同様に照明される。
【００１２】
請求項７記載のシート看板装置は、請求項４乃至請求項６記載のいずれかのシート看板装置において、上記開閉部の角部縦枠は、上記本体枠側に設けられている上記照明具に対して略放射方向に配置されていることを特徴とする。
かかる特徴により、表示シート５０に角部縦枠３４ａの影がでにくく、表示シート５０のコーナー部が他の部分と同様に照明される。
なお、上記手段の説明において理解を容易にするために図面符号を付したが、本発明の手段は図面に記載した実施形態に限定されるものではない。
【００１３】
【発明の実施の形態】
以下、本発明の実施形態について図面を用いて説明する。図１は、そのシート看板装置の縦断面図、図２は同シート看板装置のコーナー部以外の部分の水平断面図、図３は同シート看板装置のコーナー部の水平断面図、図４は同シート看板装置の分解状態の水平断面図、図５は同シート看板装置を建物躯体に取り付けた状態の斜視図、図６は図４のＡ部の拡大図、図７は図４のＢ部の拡大図、図８は図４のＣ部の拡大図である。
【００１４】
図５に示すように、本シート看板装置２は建物の躯体１の角部の上部に二面にわたって装着される。また、図３，４に示すように、シート看板装置２は全体として第１辺部２ａと第２辺部２ｂとからなる平面略Ｌ形、或いは、く字形（以下、Ｌ形という。）に形成され、上下方向に所定の長さ（高さ）と厚味（幅）を有する。なお、本実施形態は第１辺部２ａと第２辺部２ｂとからなる平面略Ｌ形に形成されているが、躯体１の角部の状況によっては両辺の長さに相違があってもよい。
【００１５】
図１乃至図８に示すように、シート看板装置２は躯体１側に装着される本体部２０と該本体部２０に開閉可能に軸着される開閉部３０と、表示シート５０からなる。本体部２０は、所定高さと所定幅に形成され、躯体１側面に直接装着される背面板２８と、該背面板２８に固定される本体枠２１と、該本体枠２１内にビスにて固定される縦補強材２２と、上記本体枠２１の上部の本体上枠２１ａに設けられる支持軸２５と、上記本体枠２１の下部の本体下枠２１ｂに設けられるロック受２６とを具備する。また、上記縦補強材２２には、照明具支持枠２７ａを介して照明具２７が装着されている。また、上記支持軸２５には、後述する開閉部３０（後述）が支持軸２５を中心に開閉可能に軸着されている。なお、符号６０は固着用のビスである。
【００１６】
また、本体枠２１の両端部には本体縦枠２１ｃが設けられると共に、その中間部の角位置には、角部縦枠部２１ｄが配置されている。なお、この実施形態では、該角部縦枠部２１ｄに後述の角部カバー板４０を支持する角部カバー板支持金具２１ｆが一体に形成されている。
【００１７】
なお、図中、符号２１ｇは本体枠２１の第１辺部２ａと第２辺部２ｂを仕切る仕切板で白色塗装がなされている。符号２３は本体の角部を連結して角部ユニットを作るためのコーナー金具、符号２３ａは本体縦枠２１ｃと横枠（本体上枠２１ａ又は本体下枠２１ｂ）を連結するコーナー金具である。また、符号２４は本体上枠２１ａを支持する補強金具、そして、符号２９は本体を連結するための本体連結材である。
【００１８】
上記開閉部３０は、図１乃至図８に示すように、本体部２０の外周の二面（第１辺部２ａと第２辺部２ｂ）にそれぞれ回動可能に装着・固定される。開閉部３０はその骨格となる開閉枠３１を構成する上枠３１ａ、下枠３１ｂ、両端部の縦枠３４及び角側の角部縦枠３４ａからなり、上枠３１ａと下枠３１ｂとの間には縦補強材３５が配置されると共に、上枠３１ａの上部には軸筒部３１ｃが形成され、前記支持軸２５を回転自在に外嵌している。また、下枠３１ｂの下部にはロック体３３が設けられ、前記ロック受２６と係合可能に配置されている。
【００１９】
また、上記上枠３１ａと下枠３１ｂのそれぞれの外端部が表示シート５０の当接支持部となると共に、上記上枠３１ａの上面と下枠３１ｂの下面には、それぞれシート押え材３２が設けられている。また、両端部の縦枠３４は、図２及び図３に示されるように、開閉部３０の両端部に上下方向に配置され、また角側の角部縦枠３４ａは、躯体１の角部において上下方向に配置され、表示シート５０の水平方向の両端部を支持・固定する。また、上記開閉部における縦枠３４と角部縦枠３４ａのそれぞれの外面には、それぞれ表示シート５０の縁部を固定するシート押え材３２が設けられている。なお、上記角部縦枠３４ａは、本体枠２１側に設置されている照明具２７に対して概略放射状方向に、即ち、可能な限り角部縦枠３４ａによって照明具２７の光が遮断されず、角部に位置する表示シート５０に影ができないように配置されていると共に、該角部縦枠３４ａの表面を白色（白色塗装を含む）又は反射材で構成する。該構成により、表示シート５０の角部の側端部が暗くならず角部が他の部分と同様に照明される。
【００２０】
また、左右の角部縦枠３４ａ間には、その隙間に沿って角部縦枠部２１ｄと一体の角部カバー板支持金具２１ｆが配置される。なお、該角部カバー板支持金具２１ｆは平板部材とその端部の上下に長いスチール製の方形筒部２１ｈとから形成され、角部カバー板４０を安定的に支持させると共に、角部縦枠３４ａに近接状態にあって補強する。したがって、角部縦枠３４ａが、表示シート５０等により変形するような場合には、角部カバー板４０又は／及び角部カバー板支持金具２１ｆが角部縦枠３４ａを補強・支持することになる。
【００２１】
また、図１又は図５に示すように、上記上枠３１ａの上面には表示シート５０の装着後において上カバー板３１ｄが取り付けられる。そのため、上カバー板３１ｄの一方（本体側）の長辺部には上枠３１ａへの取付部が形成され、また、他方の長辺部には水きり用の折曲り部３１ｅが形成される。また、下枠３１ｂの下面には表示シート５０の装着後において下カバー板３１ｆが取り付けられ、シート押え材３２をカバーしている。
【００２２】
また、図３，４に示すように、上記縦枠３４の外面には表示シート５０の装着後において端面カバー板４３が取り付けられる。端面カバー板４３は一方（本体側）の長辺部に縦枠３４への取付部が形成される。なお、符号３６は、上枠３１ａ同士或いは下枠同士３１ｂの連結材である。
【００２３】
したがって、本実施形態おいては、躯体角部に装着するシート看板装置に好適であり、また、本体部２０に対して開閉部３０がそれぞれの面、即ち、第１辺部２ａ及び第２辺部２ｂの面において、独立的に開閉自在で、表示シート５０、照明具２７等の交換が可能である。この開閉部３０の開閉に当っては、角部カバー板４０を角部カバー板支持金具２１ｆからビスを外して取り外すだけで可能である。
【００２４】
また、開閉部３０が閉状態においては、角部カバー板支持金具２１ｆ及び方形筒部２１ｈに対して開閉部３０側の角部縦枠３４ａが近接状態となり、前記開閉部３０を第１辺部２ａ及び第１辺部２ｂともに閉止したのち、角部カバー板支持金具２１ｆの外端部（方形筒部２１ｈ）に角部カバー板４０をネジ止めする。なお、開閉部３０を閉状態にロックする場合にはロック３３をロック受け２６に係合すればよい。更に、上記実施形態においては、角部縦枠３４ａを表面白色材（白色塗装材を含む）又は反射材で構成するようにしたが、角部以外の開閉部３０の他の部分も同様の高反射素材等で構成させることで、表示シート５０の明るさを更に高めることもできる。
【００２５】
【発明の効果】
本発明は、上記構成により、意匠性のよいコーナー部を具備するシート看板装置が得られると共に、角部カバー板の支持は、開閉部の支持と独立して設けられていることから、それぞれの面の開閉部も独立して本体部に支持されることになり、構造的に安定し、支持が簡略化されたシート看板装置が得られる。
【図面の簡単な説明】
【図１】本発明の実施形態に係るシート看板装置の縦断面図。
【図２】同シート看板装置のコーナー部以外の部分の水平断面図。
【図３】同シート看板装置のコーナー部の水平断面図。
【図４】同シート看板装置の分解状態の水平断面図。
【図５】同シート看板装置を取り付けた状態の斜視図。
【図６】図４のＡ部の拡大図。
【図７】図４のＢ部の拡大図。
【図８】図４のＣ部の拡大図。
【符号の説明】
１・・躯体  ２・・シート看板装置    ２ａ・・第１辺部    ２ｂ・・第２辺部
２０・・本体部
２１・・本体枠      ２１ａ・・本体上枠  ２１ｂ・・本体下枠
２１ｃ・・本体縦枠  ２１ｄ・・角部縦枠部
２１ｆ・・角部カバー板支持金具    ２１ｇ・・仕切板    ２１ｈ・・方形筒部
２２・・縦補強材    ２３，２３ａ・・コーナー金具
２４・・補強金具    ２５・・支持軸    ２６・・ロック受
２７・・照明具      ２７ａ・・照明具支持枠
２８・・背面板      ２９・・本体連結材
３０・・開閉部
３１・・開閉枠      ３１ａ・・上枠          ３１ｂ・・下枠
３１ｃ・・軸筒部    ３１ｄ・・上カバー板    ３１ｅ・・折曲げ部
３１ｆ・・下カバー板    ３２・・シート押え材
３３・・ロック体    ３４・・縦枠            ３４ａ・・角部縦枠
３５・・縦補強材    ３６・・連結材
４０・・角部カバー板    ４３・・端面カバー板
５０・・表示シート      ６０・・ビス
【図１】
2005003780.tif 000003
【図２】
2005003780.tif 000004
【図３】
2005003780.tif 000005
【図４】
2005003780.tif 000006
【図５】
2005003780.tif 000007
【図６】
2005003780.tif 000008
【図７】
2005003780.tif 000009
【図８】
2005003780.tif 000010